(57)【要約】【目的】  この発明は、当該配水管の支持装置において、その勾配角度や、水平方位角度の調整の多様性並びに装置の耐震性向上にある。【構成】  細長短冊状の基板両先端部適所位置に、２本又は１本のネジ付ボ−ルトを立設し、これに架設する、三日月形バンドと、補助スプリングを組み合わせて、対応の配水管を柔軟確実に支持する構成である。【選択図】      図２
2005048941.tif 000002
【特許請求の範囲】
【請求項１】
適度の強度を有する、短冊状の基板１０の両端部に、図２で示すように、適度二本のネジ付ボルト１１，１１または、図６に示すように、その一方端部に一本のネシ付ボ−ルト１１を立設する。
このネジ付ボ−ルト１１，１１の間に図２のように、また図６のように架設する三日月形バンド１４，１４は、図２，５，６に示すよう、これに対応する配水管１９の管経外周面の円曲部に対し、その下方面より当接する部分において、図３の符号１５のように、その側方向に適度逆Ｕ字形状に湾曲されると共に、この対応する配水管１９の管経外周面の円曲面部にあわせる形状で概ね三日月形バンド１４，１４となって、ネジ付ボ−ルト１１，１１等に架設される。
三日月形バンド１４，１４と、これに架設され、着脱自在にその上方面から組み合わせる適度に張引力を有する補助スプリング１７により、これに対応する配水管１９をその上下方から支持締結する構成を特徴とする配水管支持装置。
【発明の詳細な説明】
【技術分野】
【０００１】  この発明は、主として建設に係わる配水管の支持装置に関するものである。
【背景技術】
【０００２】  従来の背景となっている技術等ついてその構成を説明すれば、図１に示すように概ね短冊状の金属の台板１の両端部適所に適度２本のネジ付ボ−ルト２，２を柱状に立設し、この間に、上下一対で所用配水管９をその上下方から締結する、ほぼ半円弓状の金属平バンド３，４を係止している４個のナット５，６，７，８の回転遊動により所用の配水管９の高さ調整をしているのが典型的な従来の支持装置の構成である。
【発明の開示】
【発明が解決しようとする課題】
【０００３】  近時における建築等は、その様式の変化や用地等の制約事状等に伴って、これら配水管の施工方法にも大きな変化が生まれている。
即ち、これら管内を流れる水分等が、円滑に流れるため例えば、流し台、風呂場の下から外部の排水溝まで、また便槽から外部のマンホ−ルまでの距離や地形等に応じて、管の根元部では高く、その先端部に至るに従って順次低くなるように、複数個の管支持金具を用いて、この勾配角度を調整施工することが必然である。【０００４】  従来の管施工要領は、上述のとおりであるが、近時は、建築様式が複雑多様になり管の勾配角度調整も単純に僅かな上下方向の高さ調整のみでは対応できないようになっている【０００５】  上述のとおりであるから、上下勾配も思わぬ急角度調整や、更には管の水平方位角度の調整や、最近問題となっている地震等による振動にも対応できるものが要求されているが従来の支持装置では、その配慮が皆無又は不充分で、金属の平バンド３，４の当該締結部分の管が振動により裂傷したり、樹脂製の管などでは外気温の上昇に加えて管に温水が流れたりすると、これが膨張し同様に裂傷漏水の事象等が惹起されているが、従来の支持装置では、その構成上対応は不可能であるから、本発明によりこれらに対応する機能を備えた支持装置を提供することにある。
【課題を解決するための手段】
【０００６】  図２，４，５で例示するように、適度の強度を有する金属で、概ね短冊状の基板１０，の両先端部適所位置に、適度の経大、形状のネジ付ボ−ルト１１，１１を同図様の柱状に、係止ナット１２，１２により立設する。【０００７】  上述のネジ付ボ−ルト１１，１１の間に架設可能な長さを有する適度の板厚、板幅で通常金属の配水管の支持バンドを準備架設する。
この支持バンドの上面部は、図２，５で示すように、支持対応する配水管１９の管経外周円曲面部に適度に当接するよう概ね、三日月形の湾曲形状になっている。（以下これを三日月形バンド１４と称する）【０００８】  この三日月形バンド１４は、配水管１９に対応当接する湾曲部分において、図３の符号１５に示すよう側方向に、概ね逆Ｕ字形状に構成されている。
更に、この三日月形バンド１４の両先端上部には図２，４，５で示す配水管１９を締結する補助スプリング１７の両先端鈎部１８，１８を、ひっかけるための係止片１６，１６が設けられ、ネジ付ボ−ルト１１，１１を挿通する挿通孔も設けられている。【０００９】  更に、上述の三日月形バンド１４は、配水管１９を下方面から支持するものであるが、これを上方面から支持するための補助スプリング１７について説明する。
その形状は、図２，４，５のとおり適度の張引力を有するコイル状のもので、その両先端部  １８，１８は対応する三日月形バンド１４の両先端上部の係止片１６，１６にひっかけるため鈎状になっている。【０００１０】  以上、述べたとおり、本発明は配水管１９下方面支持具、即ち三日月形バンド１４と、その上方面からの補助スプリング１７を着脱自在に組み合わせてこれを締結、柱状のネジ付ボ−ルト１１，１１に係る同係止ナット１３，１３，１３，１３を回転遊動させて配水管１９の高さや方位角度を調整、安定した配水管支持装置を提供するものである。
【発明の効果】
【０００１１】  本発明の効果は、図２，３，４の三日月形バンド１４の  逆Ｕ字形状及び柔軟性を備えた補助スプリング１７等の特有の構成により、締結された配水管１９の支持部分に柔軟性を与えて、急角度の勾配やその水平方位角度の調整も容易であるばかりでなく、配水管１９の支持構成が従来のように４個の係止ナット５，６，７，８による固定的な締結ではないので振動にも対応できて、かつまた、三日月形バンド１４、補助スプリング１７を支持するネジ付ボ−ルト１１，１１のどちらかを省略して一本にすることにより配水管１９の水平方位角度調整を無限大にすることも可能で発明の効果は顕著である。
【発明を実施するための最良の形態】
【実施例１】
【０００１２】  基礎ベ−スに、固着された基板１０に立設されるネジ付ボ−ルト１１，１１及び三日月形バンド１４、補助スプリング１７により対応の配水管１９を図５に例示するような形態で実施される。
【実施例２】  上述、実施例１で説明した、ネジ付ボ−ルト１１，１１の、どちらか一本を省略した図６のような形態で実施される。
【図面の簡単な説明】
【０００１３】
【図１】    従来の支持装置の側面図
【図２】    本発明支持装置の側面図
【図３】    図２，６のＡ−Ａ線断面図
【図４】    本発明支持装置の上面図
【図５】    本発明実施例１の側面図
【図６】    実施例２に係る本発明装置の側面図
【符号の説明】
【０００１４】  １，                  台板
２，２              ネジ付ボ−ルト
３，４              平バンド
５，６，７，８      係止ナット
９，                配水管
（以上は、従来の支持装置に係るもので以下は、本発明にかかるものである。）
１０，                    基板
１１，１１                ネジ付ボ−ルト
１２，１２                ネジ付ボ−ルトの係止ナット
１３，１３，１３，１３    三日月形バンドの係止ナット
１４，１４                三日月形バンド
１５，                    三日月形バンドの逆Ｕ字状部
１６，１６                補助スプリング係止片
１７，                    補助スプリング
１８，１８                補助スプリング先端の鈎部
１９，                    配水管
【図１】
2005048941.tif 000003
【図２】
2005048941.tif 000004
【図３】
2005048941.tif 000005
【図４】
2005048941.tif 000006
【図５】
2005048941.tif 000007
【図６】
2005048941.tif 000008